(57)【要約】      （修正有）【課題】音を遮断しても耳鳴りがしない耳栓を提供する。【解決手段】耳鳴りがしない耳栓は、耳栓本体１を有し、耳栓本体は、軟質且つ変形可能な材質からなり、内部に少なくとも１本のチューブ２が設置され、チューブは、０．２ｍｍ〜１．８ｍｍの内径を備え、中空状を呈し、チューブの両端にそれぞれ開口が形成され、螺旋状または湾曲状または直線状を呈するように耳栓本体の内部に延設される。耳栓本体の内部に小径且つ細長状の空気通路を構成し、その空気通路によって、耳の穴の内部と外部との空気圧力をバランスし、耳の詰まり感を解除して耳鳴りを防止する。【選択図】図１
0003194275.tif 000002
【実用新案登録請求の範囲】
【請求項１】
耳栓本体を有し、該耳栓本体は、軟質且つ変形可能な材質からなり、内部に少なくとも１本のチューブが設置され、その内、少なくとも１本のチューブは、０．２ｍｍ〜１．８ｍｍ（すなわち、０．０２ｃｍ〜０．１８ｃｍ）の内径を備え、中空状を呈し、少なくとも１本のチューブの両端にそれぞれ開口が形成され、少なくとも１本のチューブが直線状を呈するように耳栓本体の内部に延設され、該軟質且つ変形可能な材質が少なくとも１本のチューブの周囲を被覆することを特徴とする耳鳴りがしない耳栓。
【請求項２】
前記チューブの両端開口がそれぞれ耳栓本体の表面に形成され、または、該チューブにおける、一端の開口が耳栓本体の表面に形成され、他端の開口が耳栓本体の表面の外部に延設され、または、該チューブの両端開口がそれぞれ耳栓本体の表面の外部に延設されることを特徴とする請求項１に記載の耳鳴りがしない耳栓。
【請求項３】
前記チューブの両端開口がそれぞれホーン形を呈し、または、該チューブの一端開口しかホーン形を呈しないことを特徴とする請求項１に記載の耳鳴りがしない耳栓。
【請求項４】
前記チューブの両端の直径が一致し、または、該チューブにおける、耳の穴側の直径が耳の穴と離れた側の直径より小さくし、または、該チューブにおける、耳の穴側の直径が耳の穴と離れた側の直径より大きくすることを特徴とする請求項１に記載の耳鳴りがしない耳栓。
【請求項５】
耳栓本体を有し、該耳栓本体は、軟質且つ変形可能な材質からなり、内部に少なくとも１本のチューブが設置され、その内、少なくとも１本のチューブは、０．２ｍｍ〜１．８ｍｍ（すなわち、０．０２ｃｍ〜０．１８ｃｍ）の内径を備え、中空状を呈し、少なくとも１本のチューブの両端にそれぞれ開口が形成され、少なくとも１本のチューブが湾曲状を呈するように耳栓本体の内部に延設され、該軟質且つ変形可能な材質が少なくとも１本のチューブの周囲を被覆することを特徴とする耳鳴りがしない耳栓。
【請求項６】
前記チューブの両端開口がそれぞれ耳栓本体の表面に形成され、または、該チューブにおける、一端の開口が耳栓本体の表面に形成され、他端の開口が耳栓本体の表面の外部に延設され、該チューブの両端開口がそれぞれ耳栓本体の表面の外部に延設されることを特徴とする請求項５に記載の耳鳴りがしない耳栓。
【請求項７】
前記チューブの両端開口がそれぞれホーン形を呈し、または、該チューブの一端開口しかホーン形を呈しないことを特徴とする請求項５に記載の耳鳴りがしない耳栓。
【請求項８】
前記チューブの両端の直径が一致し、または、該チューブにおける、耳の穴側の直径が耳の穴と離れた側の直径より小さくし、または、該チューブにおける、耳の穴側の直径が耳の穴と離れた側の直径より大きくすることを特徴とする請求項５に記載の耳鳴りがしない耳栓。
【請求項９】
耳栓本体を有し、該耳栓本体は、軟質且つ変形可能な材質からなり、内部に少なくとも１本のチューブが設置され、その内、少なくとも１本のチューブは、０．２ｍｍ〜１．８ｍｍ（すなわち、０．０２ｃｍ〜０．１８ｃｍ）の内径を備え、中空状を呈し、少なくとも１本のチューブの両端にそれぞれ開口が形成され、少なくとも１本のチューブが螺旋状を呈するように耳栓本体の内部に延設され、該軟質且つ変形可能な材質が少なくとも１本のチューブの周囲を被覆することを特徴とする耳鳴りがしない耳栓。
【請求項１０】
前記チューブの両端開口がそれぞれ耳栓本体の表面に形成され、または、該チューブにおける、一端の開口が耳栓本体の表面に形成され、他端の開口が耳栓本体の表面の外部に延設され、または、該チューブの両端開口がそれぞれ耳栓本体の表面の外部に延設されることを特徴とする請求項９に記載の耳鳴りがしない耳栓。
【請求項１１】
前記チューブの両端開口がそれぞれホーン形を呈し、または、該チューブの一端開口しかホーン形を呈しないことを特徴とする請求項９に記載の耳鳴りがしない耳栓。
【請求項１２】
前記チューブの両端の直径が一致し、または、該チューブにおける、耳の穴側の直径が耳の穴と離れた側の直径より小さくし、または、該チューブにおける、耳の穴側の直径が耳の穴と離れた側の直径より大きくすることを特徴とする請求項９に記載の耳鳴りがしない耳栓。
【考案の詳細な説明】
【技術分野】
【０００１】
本考案は、特に音を遮断する道具であり、騒音を控えても耳鳴りがしない耳栓に関するものである。
【背景技術】
【０００２】
耳栓とは、人間の外耳道に挿入して外部からの騒音を遮断することができる道具である。既存の耳栓は、耳の穴に挿入するために、耳の穴の形に合うように作られ、軟質の充填物からなって様々なタイプを有する。また、使用する時に、まず耳栓を小さく握って耳の穴に挿入し、耳栓が膨らんで元の形に戻すと、耳の穴を隙間がないように塞ぎ、外部からの音を遮断することができる。
【考案の概要】
【考案が解決しようとする課題】
【０００３】
しかしながら、既存の耳栓を装着する時に、耳栓が耳の穴を完全に塞いで、使用者が耳の詰まり感を感じることから、耳鳴りがして気持ちが悪くなる。さらに、使用者が耳栓をして寝ようとするが、外部からの環境音または声を聞こえなくなり、火事や地震などの災害時に逃げ遅れる危険性もあり、安眠できなくなる。
【課題を解決するための手段】
【０００４】
本考案に係る耳鳴りがしない耳栓は、耳栓本体を有し、該耳栓本体は、軟質且つ変形可能な材質からなり、内部に少なくとも１本のチューブが設置され、その内、少なくとも１本のチューブは、０．２ｍｍ〜１．８ｍｍ（すなわち、０．０２ｃｍ〜０．１８ｃｍ）の内径を備え、中空状を呈し、少なくとも１本のチューブの両端にそれぞれ開口が形成され、少なくとも１本のチューブが直線状を呈するように耳栓本体の内部に延設され、該軟質且つ変形可能な材質が少なくとも１本のチューブの周囲を被覆するものである。
【０００５】
かかる耳鳴りがしない耳栓において、その少なくとも１本のチューブは、湾曲状を呈するように耳栓本体の内部に延設されてもよく、直線状を呈するように耳栓本体の内部に延設されてもよい。
【０００６】
かかる耳鳴りがしない耳栓において、前記チューブの両端開口がそれぞれ耳栓本体の表面に形成され、または、該チューブにおける、一端の開口が耳栓本体の表面に形成され、他端の開口が耳栓本体の表面の外部に延設され、または、該チューブの両端開口がそれぞれ耳栓本体の表面の外部に延設されること好ましい。
【０００７】
かかる耳鳴りがしない耳栓において、前記チューブの両端開口がそれぞれホーン形を呈し、または、該チューブの一端開口しかホーン形を呈しないこと好ましい。
【０００８】
かかる耳鳴りがしない耳栓において、前記チューブの両端の直径が一致し、または、該チューブにおける、耳の穴側の直径が耳の穴と離れた側の直径より小さくし、または、該チューブにおける、耳の穴側の直径が耳の穴と離れた側の直径より大きくすることが好ましい。
【考案の効果】
【０００９】
本考案に係る耳鳴りがしない耳栓は、軟質の材質からなる耳栓本体に少なくとも１本の小径のチューブを設置し、該チューブは、０．２ｍｍ〜１．８ｍｍ（すなわち、０．０２ｃｍ〜０．１８ｃｍ）の内径を備え、中空状を呈し、両端にそれぞれ開口が形成され、耳栓本体の内部に螺旋状または湾曲状または直線状を呈してもよい。それによれば、耳栓本体の内部に小径且つ細長状の空気通路を構成し、その空気通路によって、耳の穴の内部と外部との空気圧力をバランスし、耳の詰まり感を解除して耳鳴りがしないようとする。なお、その空気通路が小径で細長状を呈することから、少しの外部の音が進入できるが、その螺旋状または湾曲状または直線状のチューブによって耳の穴に入った音を低減することができる。つまり、本考案に係る耳鳴りがしない耳栓において、外部からの騒音を殆ど遮断することができるが、外部の音も少し聞こえ、緊急の場合にも外部の状況が分かれ、危険に逃げ遅れるという問題はない。
【００１０】
また、本考案に係る耳鳴りがしない耳栓は、外部の音を殆ど遮断することができるので、寝るときに隣の人がいびきを欠いてもその騒音を有効的に遮断できる。さらに、本考案に係る耳鳴りがしない耳栓は、騒音を遮断するだけではなく、既存の耳栓を付く時に耳の詰まり感を感じて気持ちが悪くなるという問題も解除できると共に、外部の環境音を完全に遮断してはなく、耳栓を付いて寝ようとしても少し環境音が聞こえ、火事や地震などの災害時に逃げ遅れる危険性を大幅に減少し、安眠することができる。
【図面の簡単な説明】
【００１１】
【図１】本考案に係る耳鳴りがしない耳栓の第一実施例の斜視図である。
【図２】本考案に係る耳鳴りがしない耳栓の第二実施例の断面図である。
【図３】本考案に係る耳鳴りがしない耳栓の第三実施例の断面図である。
【図４】本考案に係る耳鳴りがしない耳栓の第四実施例の断面図である。
【図５】本考案に係る耳鳴りがしない耳栓の第五実施例の断面図である。
【図６】本考案に係る耳鳴りがしない耳栓の第六実施例の断面図である。
【図７】本考案に係る耳鳴りがしない耳栓の第七実施例の断面図である。
【図８】本考案に係る耳鳴りがしない耳栓の第八実施例の断面図である。
【図９】本考案に係る耳鳴りがしない耳栓の第九実施例の断面図である。
【図１０】本考案に係る耳鳴りがしない耳栓の第十実施例の断面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１に示すように、本考案に係る耳鳴りがしない耳栓の第一実施例は、耳栓本体１を有し、該耳栓本体１は、軟質且つ変形可能な材質（例えば、
1409631384697_4後
ポリマーや、スポンジ、ゴムなど）からなり、内部に小径のチューブ２が形成される。該チューブ２は、０．２ｍｍ〜１．８ｍｍ（すなわち、０．０２ｃｍ〜０．１８ｃｍ）の内径を備え、中空状を呈し、両端にそれぞれ開口が形成される。その軟質且つ変形可能な材質がチューブ２を被覆するように設置される。
【００１４】
図２に示すように、本考案に係る耳鳴りがしない耳栓の第二実施例は、殆ど第一実施例と同一であるが、そのチューブ２が直線状を呈することが異なる。また、そのチューブ２の両端の開口がそれぞれ耳栓本体１の表面に形成される。
【００１５】
図３に示すように、本考案に係る耳鳴りがしない耳栓の第三実施例は、殆ど第一実施例と同一であるが、そのチューブ２が直線状を呈し、一端の開口が耳栓本体１の表面に形成され、他端の開口が耳栓本体１の表面の外部に延設されることが異なる。
【００１６】
図４に示すように、本考案に係る耳鳴りがしない耳栓の第四実施例は、殆ど第一実施例と同一であるが、そのチューブ２が直線状を呈し、両端の開口がそれぞれ耳栓本体１の表面の外部に延設されることが異なる。
【００１７】
図５に示すように、本考案に係る耳鳴りがしない耳栓の第五実施例は、殆ど第一実施例と同一であるが、そのチューブ２が湾曲状を呈することが異なる。また、そのチューブ２の両端の開口がそれぞれ耳栓本体１の表面に形成される。
【００１８】
図６に示すように、本考案に係る耳鳴りがしない耳栓の第六実施例は、殆ど第一実施例と同一であるが、そのチューブ２が湾曲状を呈し、一端の開口が耳栓本体１の表面に形成され、他端の開口が耳栓本体１の表面の外部に延設されることが異なる。
【００１９】
図７に示すように、本考案に係る耳鳴りがしない耳栓の第七実施例は、殆ど第一実施例と同一であるが、そのチューブ２が湾曲状を呈し、両端の開口がそれぞれ耳栓本体１の表面の外部に延設されることが異なる。
【００２０】
図８に示すように、本考案に係る耳鳴りがしない耳栓の第八実施例は、殆ど第一実施例と同一であるが、そのチューブ２が螺旋状を呈することが異なる。また、そのチューブ２の両端の開口がそれぞれ耳栓本体１の表面に形成される。
【００２１】
図９に示すように、本考案に係る耳鳴りがしない耳栓の第九実施例は、殆ど第一実施例と同一であるが、そのチューブ２が螺旋状を呈し、一端の開口が耳栓本体１の表面に形成され、他端の開口が耳栓本体１の表面の外部に延設されることが異なる。
【００２２】
図１０に示すように、本考案に係る耳鳴りがしない耳栓の第十実施例は、殆ど第一実施例と同一であるが、そのチューブ２が螺旋状を呈し、両端の開口がそれぞれ耳栓本体１の表面の外部に延設されることが異なる。
【００２３】
上述した第一実施例乃至第十実施例によって、本考案に係る耳鳴りがしない耳栓は、以下の特徴を有する。
その耳栓本体１の内部に少なくとも１本の小径のチューブ２を備えてもよい。
その小径のチューブ２の両端開口がそれぞれ耳栓本体１の表面に形成されてもよい。
その小径のチューブ２における、一端の開口が耳栓本体１の表面に形成され、他端の開口が耳栓本体１の表面の外部に延出してもよい。
その小径のチューブ２の両端開口がそれぞれ耳栓本体１の表面の外部に延出してもよい。
【００２４】
その小径のチューブ２の両端開口がそれぞれホーン形を呈してもよい。
その小径のチューブ２の一端の開口がホーン形を呈してもよい。
その小径のチューブ２の径方向の断面が円形、楕円形、三角形、矩形、菱形の何れか１つであってもよい。
【００２５】
その小径のチューブ２における、耳の穴側の直径が耳の穴と離れた側の直径と一致してもよい。
その小径のチューブ２における、耳の穴側の直径が耳の穴と離れた側の直径より小さくしてもよい。
その小径のチューブ２における、耳の穴側の直径が耳の穴と離れた側の直径より大きくしてもよい。
【００２６】
その小径のチューブ２が耳栓本体１の内部に、螺旋状または湾曲状または直線状に延出してもよい。
【００２７】
本考案に係る耳鳴りがしない耳栓は、軟質の材質からなる耳栓本体１に小径のチューブ２を設置していることから、小径且つ細長状の空気通路を構成し、その空気通路によって、耳の穴の内部と外部との空気圧力をバランスし、耳の詰まり感を解除して耳鳴りがしないようとする。なお、その空気通路が小径で細長状を呈することから、少しの外部の音が進入できるが、その螺旋状のチューブ２によって耳の穴に入った音を低減することができる。つまり、本考案に係る耳鳴りがしない耳栓において、外部からの騒音を殆ど遮断することができ、外部の音も少し聞こえ、緊急の場合にも外部の状況が分かれ、危険に逃げ遅れるという問題はない。
【００２８】
また、本考案に係る耳鳴りがしない耳栓は、外部の音を殆ど遮断することができるので、寝るときに隣の人がいびきを欠いても有効的にその騒音を遮断できる。さらに、本考案に係る耳鳴りがしない耳栓は、騒音を遮断するだけではなく、既存の耳栓を付く時に耳の詰まり感を感じて気持ちが悪くなるという問題も解除できると共に、外部の環境音を完全に遮断してはなく、耳栓を付いて寝ようとしても少し環境音が聞こえ、火事や地震などの災害時に逃げ遅れる危険性を大幅に減少し、安眠することができる。
【符号の説明】
【００２９】
１     本体
２     チューブ
【図１】
0003194275.tif 000003
【図２】
0003194275.tif 000004
【図３】
0003194275.tif 000005
【図４】
0003194275.tif 000006
【図５】
0003194275.tif 000007
【図６】
0003194275.tif 000008
【図７】
0003194275.tif 000009
【図８】
0003194275.tif 000010
【図９】
0003194275.tif 000011
【図１０】
0003194275.tif 000012